(57)【要約】【課題】  一階部分の排水に対しては勾配排水システムを採用し、二階部分（以上）の排水をサイフォン排水システムを適用した低層住宅用複合排水システムであり、各階の水廻り器具をどこにでも設置できるように設計の可能性を広げたものである。【解決手段】一階部分を水廻り器具から配管される排水管に所定の勾配をもって敷設された勾配排水システムで構成すると共に、上階部分を、水廻り器具から配管される横引き管と垂下管とで敷設されたサイフォン排水システムで構成し、前記垂下管を一階部分の勾配排水システムに接続して構成された低層住宅用複合排水システム。１ａ、１ｂ‥一階部分の水廻り器具、２ａ、２ｂ‥一階部分の排水管、３‥排水ヘッダ−、５‥排水横枝管、１１ａ、１１ｂ‥二階部分の水廻り器具、１２ａ、１２ｂ‥二階部分の横引き管（垂下管）、Ｐ１、Ｐ２‥床面、ＰＳ‥パイプシャフトスぺ−ス、Ｓ１‥土間、Ｓ２‥スラブ面。【選択図】図１
2007070885.tif 000002
【特許請求の範囲】
【請求項１】
一階部分を、水廻り器具から配管される排水管に所定の勾配をもって敷設された勾配排水システムで構成すると共に、上階部分を、水廻り器具から配管される横引き管と垂下管とで敷設されたサイフォン排水システムで構成し、前記垂下管を一階部分の勾配排水システムに接続して構成されたことを特徴とする低層住宅用複合排水システム。
【請求項２】
前記勾配排水システムを、水廻り器具から勾配をもって配管される排水管を集合させる排水ヘッダー部分と、排水ヘッダー部分から屋外の排水枡に配管される排水横枝管に勾配を形成して構成された排水ヘッダーシステムとしたことを特徴とする低層住宅用複合排水システム。
【請求項３】
前記垂下管が一階部分の水廻り器具から勾配をもって配管される排水管に接続された請求項１又は２記載の低層住宅用複合排水システム。
【請求項４】
前記垂下管が一階部分の排水ヘッダー部分から屋外の排水枡に配管される排水横枝管に接続された請求項１又は２記載の低層住宅用複合排水システム。
【請求項５】
前記垂下管が一階部分の排水ヘッダ−部分に接続された請求項１又は２記載の低層住宅用複合排水システム。
【請求項６】
前記垂下管が排水枡に接続された請求項１又は２記載の低層住宅用複合排水システム。  
【請求項７】
前記垂下管が公共枡に接続された請求項１又は２記載の低層住宅用複合排水システム。
【発明の詳細な説明】
【技術分野】
【０００１】
本発明はサイフォン排水システムと勾配排水システムとを併用した排水システムであって、低層住宅に好んで適用される排水システムに係るものである。
【背景技術】
【０００２】
従来、排水システムは主に水廻り器具から勾配管を用いて外部の排水枡に排水する勾配排水システムにて構成されているのが一般的である。特に低層住宅の一階に設ける場合には、各排水管が単独でコンクリートの基礎を突き抜けて屋外の排水枡に接続され、夫々の枡を繋ぐ管が勾配をもって建物の外周を囲繞して配管された後に埋め戻される方式で敷設される。このため、外溝工事が増え、工数・工期の削減が困難であること、各排水管が抜ける複数の貫通部をコンクリ−トの基礎に形成する必要があること、等の不具合が指摘されている。
【０００３】
又、上記の排水システムを二階に設ける場合、一階と同様の方式を用いて排水管が単独で壁を突き抜ける方式とすると、壁を突き抜ける排水管の数が水廻り器具の個数毎になるため、外部の立管の数が増え敷設が面倒となることが指摘され、パイプシャフトスペース（ＰＳ）を用いて立管を壁内に設ける場合には、勾配排水管のレイアウトとスペースの占有度を考慮すると、水廻り器具をＰＳ付近にしか配置できないこと、勾配管を配置するため床下空間を大きくする必要があること、等の不具合が指摘されている。
【０００４】
前記の不具合を改善するべく考えられた排水システムとして、上階に設けるのに最適なシステムとしてサイフォン排水システムがある。サイフォン排水システムは勾配排水管を用いず、細径の横引き管を用いると共に、これに連続する垂下管を用いるものであり、この垂下管にて発生するサイフォン力にて細経の横引き管内で満流流れとなして強制的に排水するシステムであり、垂下管の設置ができる上階に適しており、又、勾配排水管を用いず、水平の細径横引き管を用いることができるので、床下スペースを極力用いずに設置できると同時に、一般的な二重床の設備を用いている場合、二重床にて形成される空間内に配管可能となるため、配管専用スペースを必要としない効果がある。
【０００５】
又、ＰＳ内や、壁内に垂下管を収めることが容易であり、壁外部に管を突き出す必要がないので敷設が容易である利点を有する。ただし、サイフォン排水の場合、垂下管が必須の構成であり、サイフォン力発生のために必要な垂下管寸法であるサイフォン水頭（Ｈｓ）の確保が困難な一階部分に設置することは難しい。
【０００６】
他方、排水ヘッダーシステムが知られている。かかるシステムは特に一階部分における各水廻り器具からの勾配排水管を集合部（排水ヘッダー部）に一旦集合させ、その後単一の勾配排水管を用いて排水ヘッダー部からコンクリートの基礎を貰通して外部の排水枡に排水するシステムである。このため、コンクリートの基礎に設ける貫通孔が一箇所で済むこと、排水枡が単一で済むため外溝工事の箇所が減り工数が削減されること、屋外側に配置する必要性が高い水廻り器具（アイライドキッチン等）の排水管を屋内側に配置することが容易であること、等の特徴がある。
【０００７】
しかるに、かかる排水ヘッダーシステムにあっては、床スラブ（コンクリート基礎）や土間の上に排水ヘッダー部、及びこの排水ヘッダー部以降の排水横枝管を設置する必要があり、更に水廻り器具から排水ヘッダー部までの勾配排水管の設置スペースを考慮すると、床下に収納するためのスペースとしてかなりの高さを必要とするため、二階や三階等の上階に適用することが困難であり、比較的スペースの確保が容易な一階部分にしか用いることができないのが現状である。
【発明の開示】
【発明が解決しようとする課題】
【０００８】
本発明は以上のような従来の技術に鑑みてなされたものであり、一階部分の排水に対しては勾配排水システムを採用し、二階部分（以上）の排水をサイフォン排水システムを適用して新たな機能をもった低層住宅用複合排水システムを提供するものである。
【課題を解決するための手段】
【０００９】
本発明の要旨は、一階部分を、水廻り器具から配管される排水管に所定の勾配をもって敷設された勾配排水システムで構成すると共に、上階部分を、水廻り器具から配管される横引き管と垂下管とで敷設されたサイフォン排水システムで構成し、前記垂下管を一階部分の勾配排水システムに接続して構成されたことを特徴とする低層住宅用複合排水システムにかかるものである。
【００１０】
そして、具体的には、前記の勾配排水システムを、水廻り器具から勾配をもって配管される排水管を集合させる排水ヘッダー部分と、排水ヘッダー部分から屋外の排水枡に配管される排水横枝管に勾配を形成して構成された排水ヘッダーシステムとした低層住宅用複合排水システムにかかるものである。
【発明の効果】
【００１１】
本発明は、低層住宅の一階部分に勾配排水システム、好ましくは排水ヘッダーシステムを採用し、勾配排水システムでは不具合のあった二階部分をサイフォン排水システムを用いることにより、近年、増加する二階部分に水廻り器具を複数設置する物件にも適用できるようにしたもので、各階の水廻り器具をどこにでも設置できるように設計の可能性を広げたものである。
【発明を実施するための最良の形態】
【００１２】
本発明は、勾配を有する管を用いた排水システムとサイフォン排水システムとを組み合わせた低層住宅用排水システムであって、床下スペースの確保が可能な一階部部分に勾配排水システムを用い、床下スペースの確保が困難な上階にサイフォン排水システムを用いることで、各排水システムの特徴を用いながら各排水システムの欠点を補うことが可能な複合排水システムを構築したものである。勾配を有する管を用いた排水システムは、公知技術である排水システムであり、排水ヘッダーシステムが含まれることは勿論である。
【００１３】
即ち、床下スペースの確保が可能な一階部分に公知の排水システムを用い、床下スペースの確保が困難な上階にサイフォン排水システムを用いることで、各排水システムの特徴を用いながら、各排水システムの欠点を補うことが可能な複合排水システムを構築したものである。
【００１４】
具体的な例を挙げれば、床下空間の広い一階部分を排水ヘッダ−システムとし、床下空間の取れない二階部分の排水をサイフォン排水システムを適用する低層住宅用複合排水システムである。即ち、排水ヘッダ−システムの特徴を残し、二階部分にはサイフォン排水システムとすることにより、従来の床下の大きさのままで水廻り器具をどこにでも設置できるように設計の可能性を広げたものである。
【００１５】
尚、二階部分の垂下管は直接一階部分の排水管に接続されても、排水ヘッダ−部に備えられた排水横枝管に接続されても、更には排水ヘッダ−部に接続されてもよく、更に又、排水枡や公共枡に接続されてもよく、垂下管との位置関係で任意に選択可能である。
【００１６】
本発明の例としては、二階部分の垂下管を一箇所に集めておくのがよく、好適例としては、一階と二階部分の間にＰＳを備え、二階部分の垂下管をここに集め、このＰＳの下に排水ヘッダ−を設置するのが好ましい。
【００１７】
尚、二階部分に用いられる垂下管は従来の横引き管よりも小口径の管を用いるものであり、ＰＳを設置することなく、例えば壁体内を通すことも可能である。特に言えば、水廻り器具が少ない、例えば１〜２器具程度の場合であれば、垂下管を壁体内を通すことことで十分である。
【実施例】
【００１８】
以下、本発明の排水システムを好適例をもって更に説明する。図１は請求項１、請求項２、請求項５における排水システムの第１例を示すものであり、図中、１ａ、１ｂは一階部分の水廻り器具の例である。そして、一階部分の排水システムとして、各水廻り器具に排水管２ａ、２ｂが接続され、これが１／１００程度の勾配で土間Ｓ１上に敷設され、排水ヘッダ−３に夫々が接続されている。排水ヘッダ−３はこの例では土間Ｓ１に図示しない固定具にて固定・配備されており、これより勾配をもって排水横枝管５が敷設されたものである。かかる排水横枝管５の先端は図示しない排水枡に接続され、排水ヘッダ−システムとされている。
【００１９】
一階部分の排水にあっては、各水廻り器具からの排水は所定の勾配（１／１００程度の勾配）によって一旦排水ヘッダ−３に集められ、ここから再び所定の勾配をもって排水枡に接続されて排水されるものであり、排水ヘッダ−システムのもつ特徴はこの一階部分にて発揮される。
【００２０】
さて、二階部分の排水であるが、１１ａ、１１ｂは二階部分の水廻り器具の例である。そして、二階部分の排水システムとして、各水廻り器具に横引き管１２ａ、１２ｂが接続され、これが無勾配でスラブ面Ｓ２上に敷設され、これがそのまま合流することなくＰＳ中に垂下されている。この例ではかかるＰＳの直下に排水ヘッダ−３が配置されたものであり、垂下管（１２ａ、１２ｂ）はこの排水ヘッダ−３に夫々が独立して接続される。横引き管１２ａ、１２ｂは通常は樹脂管が用いられ、その管径は一階部分の排水管２ａ、２ｂよりも細径（例えば２０Ａ）のものが用いられる。
【００２１】
二階部分の排水はいわゆるサイフォン排水システムであり、二階部分の横引き管と垂下された管が開放されるところとの間の水頭（Ｈｓ）によって管内の水にサイフォン力が生じ、これによって管内が満流流れによって排水されるシステムである。上記したように、二階部分の横引き管には勾配をつける必要はなく、二階部分の床面Ｐ２は比較的空間が小さくできる。
【００２２】
図中、垂下管はＰＳ内を通る例であるが、これに限定されないことは勿論であり、例えば壁内を通すことも可能である。勿論、この場合には排水ヘッダ−近くの壁内を通したり、逆に、垂下管の先端近くに排水ヘッダ−を配置するのが好ましいこととなる。
【００２３】
尚、垂下管は必ずしも排水ヘッダ−に接続されるものではなく、排水管２ａ、２ｂに接続されたり、排水ヘッダ−から伸びる排水横枝管５に接続されることもある。
【００２４】
図２は本発明の排水システムの第２例を示すものであり、ＰＳ内に排水立て管７を立設したものであり、８はマニホ−ルドであり、これによって垂下管１２ａ、１２ｂを立て管７に接続する構造である。この立て管７を上方に伸ばすことにより三階以上の排水に供することができる。
【産業上の利用可能性】
【００２５】
本発明は以上の通りであり、床面の高さが調整できやすい一階部分の排水と、床面の高さの調整ができにくい二階部分以上の排水を夫々別個のシステムを適用したものであり、これによって低層住宅の排水に適用可能となったものであり、その用途は広い。
【図面の簡単な説明】
【００２６】
【図１】図１は本発明の排水システムの第１例を示す図である。
【図２】図２は本発明の排水システムの第２例を示す図である。
【符号の説明】
【００２７】
１ａ、１ｂ‥一階部分の水廻り器具、
２ａ、２ｂ‥一階部分の排水管、
３‥排水ヘッダ−、
５‥排水横枝管、
７‥排水立て管、
８‥マニホ−ルド、
１１ａ、１１ｂ‥二階部分の水廻り器具、
１２ａ、１２ｂ‥二階部分の横引き管（垂下管）、
Ｐ１、Ｐ２‥床面、
ＰＳ‥パイプシャフトスぺ−ス、
Ｓ１‥土間、
Ｓ２‥スラブ面。
【図１】
2007070885.tif 000003
【図２】
2007070885.tif 000004